(57)【要約】【課題】  タイル部材を剥がれにくく外側型枠壁に付設できるようにして耐久性の向上を図るとともに、構築作業性の向上を図る。【解決手段】  基礎上に互いに所定間隔に対峙させた外側型枠壁ＫＡ及び内側型枠壁ＫＢを立設するとともに、外側型枠壁ＫＡを断熱材で形成された複数の型枠ブロックＢを横方向及び縦方向に連設して構成し、互いに対峙した各型枠壁ＫＡ，ＫＢ同士を連結具１で連結し、各型枠壁ＫＡ，ＫＢ間に流動コンクリートＣを流し込んで外側型枠壁ＫＡとコンクリートＣとを一体にし、外側型枠壁ＫＡに複数のタイル部材２０を横方向及び縦方向に連設して付設した建物の壁構造であって、外側型枠壁ＫＡに、タイル部材２０を止着する止着具３０を設けた。止着具３０は、支持部材３１に固着されタイル部材の掛止凹部２６が掛止される掛止板３４を有した掛止部材３３を備えた。【選択図】  図１
2013177740.tif 000002
【特許請求の範囲】
【請求項１】
基礎上に互いに所定間隔に対峙させた外側型枠壁及び内側型枠壁を立設するとともに、上記外側型枠壁及び内側型枠壁のうち少なくとも外側型枠壁を断熱材で形成された複数の型枠ブロックを横方向及び縦方向に連設して構成し、上記互いに対峙した各型枠壁同士を連結具で連結した状態で該各型枠壁間に流動コンクリートを流し込み、少なくとも上記外側型枠壁とコンクリートとを一体にし、該外側型枠壁に複数のタイル部材を横方向及び縦方向に連設して付設した建物の壁構造において、
上記外側型枠壁に、上記タイル部材を止着する止着具を設けたことを特徴とする建物の壁構造。
【請求項２】
上記止着具を、上記型枠ブロックの横方向に沿って間隔を隔てて列設される複数の支持部材と、該各支持部材に固着されるとともに上記型枠ブロックの横方向に沿う細長状に形成され上記タイル部材を複数列設して掛止する掛止部材とを備え、該掛止部材を上記型枠ブロックの縦方向に沿って所定間隔で複数列設して構成したことを特徴とする請求項１記載の建物の壁構造。
【請求項３】
上記掛止部材は、上記支持部材に対して所定の間隙を隔てて配置され上記タイル部材が掛止される細長状の掛止板を備え、上記タイル部材の裏面側に上記掛止部材の掛止板に掛止される掛止凹部を形成したことを特徴とする請求項２記載の建物の壁構造。
【請求項４】
上記止着具の支持部材を、該支持部材から外側型枠壁を貫通してコンクリートに埋設される保持部材で保持したことを特徴とする請求項２または３記載の建物の壁構造。
【請求項５】
上記保持部材を、上記連結具の全部若しくは一部で構成したことを特徴とする請求項４記載の建物の壁構造。
【請求項６】
上記連結具を、上記外側型枠壁の裏面に付設されるフランジを有するとともに壁の幅方向外面側及び内面側に夫々雌ネジを有した第一インサート部材と、該外側型枠壁及び上記支持部材を貫通するとともに一端に上記第一インサート部材の壁の外面側の雌ネジに螺合する雄ネジが形成され他端に雄ネジが形成された第一ネジロッドと、該第一ネジロッドの他端の雄ネジに螺合して上記支持部材及び外側型枠壁を上記第一インサート部材のフランジに対して押さえる第一押えナットと、上記内側型枠壁の裏面に付設されるテーパ状のコアを有するとともに壁の幅方向内面側に内側型枠壁を貫通する雄ネジを有し壁の幅方向外面側に雌ネジを有した第二インサート部材と、該第二インサート部材の壁の内面側の雄ネジに螺合して上記内側型枠壁を該第二インサート部材のコアに対して押さえる第二押えナットと、一端に上記第二インサート部材の壁の外面側の雌ネジに螺合する雄ネジが形成され他端に上記第一インサート部材の壁の内面側の雌ネジに螺合する雄ネジが形成され螺合により該第二インサート部材及び第一インサート部材を連結する第二ネジロッドとを備えて構成し、
上記保持部材を、コンクリートの固化後に上記第二押えナット，上記内側型枠壁及び第二インサート部材を取り外した後に残る、上記第一インサート部材，第一ネジロッド，第一押えナット及び第二ネジロッドで構成したことを特徴とする請求項５記載の建物の壁構造。
【請求項７】
上記連結具は、上記横方向及び縦方向の少なくともいずれかの方向に連設される型枠ブロック同士を連結する機能を備えたことを特徴とする請求項１乃至４何れかに記載の建物の壁構造。
【請求項８】
上記外側型枠壁及び内側型枠壁の両方を断熱材で形成された複数の型枠ブロックを横方向及び縦方向に連設して構成し、上記互いに対峙した各型枠壁同士を連結具で連結した状態で該各型枠壁間に流動コンクリートを流し込み、該各型枠壁とコンクリートとを一体にし、
上記連結具を、縦方向に隣接する下側の型枠ブロックの上端に嵌合する断面コ字状の下嵌合部及び上側の型枠ブロックの下端部に嵌合する断面コ字状の上嵌合部を有するとともに上記外側型枠壁及び内側型枠壁のいずれか一方側に位置させられる一方嵌合体と、縦方向に隣接する下側の型枠ブロックの上端に嵌合する断面コ字状の下嵌合部及び上側の型枠ブロックの下端部に嵌合する断面コ字状の上嵌合部を有するとともに上記外側型枠壁及び内側型枠壁のいずれか他方側に位置させられる他方嵌合体と、上記一方嵌合体と他方嵌合体との間に架設される架設杆とを備えて構成したことを特徴とする請求項７記載の建物の壁構造。
【請求項９】
上記架設杆の両端部に下向きに延びる突部を設け、上記一方嵌合体及び他方嵌合体の互いに対面する部位に上記架設杆の突部が着脱可能に差し込まれる孔を有した突片を設けたことを特徴とする請求項８記載の建物の壁構造。
【請求項１０】
上記タイル部材は、互いに上下に隣接する一側縁部と他側縁部とを有し、上記一側縁部を、長手方向に沿い一般外面より凹み形成され基端側表面を外部に露出する目地表面として構成される凹部を備えて構成し、上記他側縁部を、長手方向に沿い裏面が上記凹部の先端側表面に延在して上記目地表面を露出させる凸部を備えて構成したことを特徴とする請求項１乃至９何れかに記載の建物の壁構造。
【請求項１１】
上記請求項１乃至１０何れかに記載の建物の壁構造に係る壁を構築する建物の壁構築方法において、
基礎上に互いに所定間隔に対峙させた外側型枠壁及び内側型枠壁を立設し、該各型枠壁の形成過程で上記連結具を取り付けるとともに上記止着具を取り付け、次に、上記各型枠壁間に流動コンクリートを流し込んで固化し、その後、上記止着具に上記タイル部材を止着して上記外側型枠壁に複数のタイル部材を横方向及び縦方向に連設して付設することを特徴とする建物の壁構築方法。
【発明の詳細な説明】
【技術分野】
【０００１】
本発明は、例えば一般住宅やマンション等のコンクリート製建物の壁構造及び建物の壁構築方法に係り、特に、所謂永久型枠を用いて構築される建物の壁構造及び建物の壁構築方法に関する。
【背景技術】
【０００２】
従来、この種の建物の壁構造としては、例えば、特開２００２−３１７４５３号公報（特許文献１）に記載された技術が知られている。
この建物の壁構築方法は、図７に示すように、発泡合成樹脂からなる断熱材で形成された複数の型枠ブロックＢを用い、この型枠ブロックＢを横方向及び縦方向に連設し、基礎上に互いに所定間隔に対峙させた外側型枠壁ＫＡ及び内側型枠壁ＫＢを立設する。互いに対峙した各型枠壁ＫＡ，ＫＢ同士は連結具１００で連結し、外側型枠壁ＫＡ及び内側型枠壁ＫＢ間には鉄筋１０１を介装する。そして、各型枠壁間に流動コンクリートＣを流し込んで各型枠壁ＫＡ，ＫＢとコンクリートＣとを一体にする。これにより各型枠壁ＫＡ，ＫＢは所謂永久型枠となる。その後、外側型枠壁ＫＡに、複数のタイル部材１０２を横方向及び縦方向に連設しながらモルタル１０３を介して付設する。型枠ブロックＢの表面には、多数の凹部１０４が形成されており、モルタル１０３はこの凹部１０４に入り込むことから、タイル部材１０２は、比較的強固に付設される。これにより壁Ｗａが構築される。
【先行技術文献】
【特許文献】
【０００３】
【特許文献１】特開２００２−３１７４５３号公報
【発明の概要】
【発明が解決しようとする課題】
【０００４】
ところで、上記従来の建物の壁構造にあっては、外側型枠壁ＫＡに、複数のタイル部材１０２をモルタル１０３を介して付設しているが、型枠ブロックＢの表面に多数の凹部１０４を形成して付設を強固にしてはいるものの、モルタル接合なのでタイル部材１０２がモルタル１０３から剥がれることがあり、耐久性に劣るという問題があった。また、モルタル１０３で付設するので、その位置決めが煩雑であり、構築作業性に劣るという問題もあった。
本発明は上記の問題点に鑑みて為されたもので、タイル部材を剥がれにくく外側型枠壁に付設できるようにして耐久性の向上を図るとともに、構築作業性の向上を図った建物の壁構造及び建物の壁構築方法を提供することを目的とする。
【課題を解決するための手段】
【０００５】
このような目的を達成するための本発明の建物の壁構造は、基礎上に互いに所定間隔に対峙させた外側型枠壁及び内側型枠壁を立設するとともに、上記外側型枠壁及び内側型枠壁のうち少なくとも外側型枠壁を断熱材で形成された複数の型枠ブロックを横方向及び縦方向に連設して構成し、上記互いに対峙した各型枠壁同士を連結具で連結した状態で該各型枠壁間に流動コンクリートを流し込み、少なくとも上記外側型枠壁とコンクリートとを一体にし、該外側型枠壁に複数のタイル部材を横方向及び縦方向に連設して付設した建物の壁構造において、上記外側型枠壁に、上記タイル部材を止着する止着具を設けた構成としている。
【０００６】
これにより、タイル部材を外側型枠壁に付設するときは、止着具に対し順次止着し、横方向及び縦方向に連設する。タイル部材は止着具に対して接着剤を介して設けることが望ましい。この場合、タイル部材は、止着具に止着するだけで取付けができるので、位置決めが容易であり、従来のようにモルタルで付着するのに比較して、構築作業性を向上させることができる。また、タイル部材は、止着具に止着されるので、従来のようにモルタルで付設されるのに比較して、取付けが強固になり、耐久性も向上させることができる。即ち、本発明によれば、所謂永久型枠としての断熱材と止着具とを一時に構築し、これに外装部材であるタイル部材を一体化して構築するので、施工効率がよく断熱性や耐久性に優れた壁を提供することができる。尚、内装用のパネル等の内装材は、内装工事において適宜構築すればよい。
【０００７】
そして、必要に応じ、上記止着具を、上記型枠ブロックの横方向に沿って間隔を隔てて列設される複数の支持部材と、該各支持部材に固着されるとともに上記型枠ブロックの横方向に沿う細長状に形成され上記タイル部材を複数列設して掛止する掛止部材とを備え、該掛止部材を上記型枠ブロックの縦方向に沿って所定間隔で複数列設して構成している。これにより、例えば、タイル部材を、下位の１つの掛止部材に対して横方向に掛止して列設し、それから、その１つ上位の掛止部材に対して横方向に掛止して列設し、このようにして、順次、下位から上位の掛止部材に向けてタイル部材を掛止していく。そのため、掛止が容易に行われ、構築をきわめて容易に行うことができ、この点で、構築作業性を大幅に向上させることができる。
【０００８】
また、必要に応じ、上記掛止部材は、上記支持部材に対して所定の間隙を隔てて配置され上記タイル部材が掛止される細長状の掛止板を備え、上記タイル部材の裏面側に上記掛止部材の掛止板に掛止される掛止凹部を形成した構成としている。これにより、タイル部材の掛止凹部を掛止部材の掛止板に掛止するだけでタイル部材を取り付けることができるので、構築作業をきわめて容易に行うことができるとともに、タイル部材の位置決めも容易に行うことができる。また、掛止凹部が掛止板に掛止するので、タイル部材の取付けが強固になり、耐久性も向上させることができる。
【０００９】
更に、必要に応じ、上記止着具の支持部材を、該支持部材から外側型枠壁を貫通してコンクリートに埋設される保持部材で保持した構成としている。これにより、保持部材を介して支持部材がコンクリートに保持されることになることから、単に、型枠ブロックに支持される場合に比較して、止着具の保持を強固にすることができる。また、外側型枠壁の保持も確実になる。
【００１０】
更にまた、必要に応じ、上記保持部材を、上記連結部の全部若しくは一部で構成したことが有効である。部品点数が少なくなるとともに、組付け効率が向上させられる。
この場合、必要に応じ、上記連結具を、上記外側型枠壁の裏面に付設されるフランジを有するとともに壁の幅方向外面側及び内面側に夫々雌ネジを有した第一インサート部材と、該外側型枠壁及び上記支持部材を貫通するとともに一端に上記第一インサート部材の壁の外面側の雌ネジに螺合する雄ネジが形成され他端に雄ネジが形成された第一ネジロッドと、該第一ネジロッドの他端の雄ネジに螺合して上記支持部材及び外側型枠壁を上記第一インサート部材のフランジに対して押さえる第一押えナットと、上記内側型枠壁の裏面に付設されるテーパ状のコアを有するとともに壁の幅方向内面側に内側型枠壁を貫通する雄ネジを有し壁の幅方向外面側に雌ネジを有した第二インサート部材と、該第二インサート部材の壁の内面側の雄ネジに螺合して上記内側型枠壁を該第二インサート部材のコアに対して押さえる第二押えナットと、一端に上記第二インサート部材の壁の外面側の雌ネジに螺合する雄ネジが形成され他端に上記第一インサート部材の壁の内面側の雌ネジに螺合する雄ネジが形成され螺合により該第二インサート部材及び第一インサート部材を連結する第二ネジロッドとを備えて構成し、上記保持部材を、コンクリートの固化後に上記第二押えナット，上記内側型枠壁及び第二インサート部材を取り外した後に残る、上記第一インサート部材，第一ネジロッド，第一押えナット及び第二ネジロッドで構成している。
これにより、支持部材及び外側型枠壁を第一インサート部材のフランジに対してナットで押えるので、押えが強固で確実になる。また、コンクリートの固化後に、第二押えナット，内側型枠壁及び第二インサート部材を取り外すので、室内側と保持部材との熱の伝達が遮断されることから、コンクリート内の結露が防止され、耐久性が向上させられる。
【００１１】
そしてまた、必要に応じ、上記連結具は、上記横方向及び縦方向の少なくともいずれかの方向に連設される型枠ブロック同士を連結する機能を備えた構成としている。型枠ブロック同士の保持は、専用の固定具を用い、あるいは、型枠ブロックの端縁と隣接する型枠ブロックの端縁に夫々互いに係合する凹凸を設ける等の手段があるが、互いに所定間隔に対峙させた外側型枠壁及び内側型枠壁を連結する連結具に、隣接する型枠ブロック同士を連結する機能を備えたので、別途専用の固定具や連結手段を設けなくても良く、共用化を図って、部品点数を低減し、効率化を図ることができる。
【００１２】
この場合、必要に応じ、上記外側型枠壁及び内側型枠壁の両方を断熱材で形成された複数の型枠ブロックを横方向及び縦方向に連設して構成し、上記互いに対峙した各型枠壁同士を連結具で連結した状態で該各型枠壁間に流動コンクリートを流し込み、該各型枠壁とコンクリートとを一体にし、上記連結具を、縦方向に隣接する下側の型枠ブロックの上端部に嵌合する断面コ字状の下嵌合部及び上側の型枠ブロックの下端部に嵌合する断面コ字状の上嵌合部を有するとともに上記外側型枠壁及び内側型枠壁のいずれか一方側に位置させられる一方嵌合体と、縦方向に隣接する下側の型枠ブロックの上端部に嵌合する断面コ字状の下嵌合部及び上側の型枠ブロックの下端部に嵌合する断面コ字状の上嵌合部を有するとともに上記外側型枠壁及び内側型枠壁のいずれか他方側に位置させられる他方嵌合体と、上記一方嵌合体と他方嵌合体との間に架設される架設杆とを備えて構成している。
これにより、一方嵌合体及び他方嵌合体により、縦方向の型枠ブロックを連結できるとともに、一方嵌合体及び他方嵌合体を横方向に連設された型枠ブロックの接合部に跨いで設けた場合には、横方向に隣接する型枠ブロック同士も連結することができる。また、架設杆の取付けにより互いに対峙した外側型枠壁及び内側型枠壁を連結することができる。即ち、横方向及び縦方向両方の連結と、外側型枠壁及び内側型枠壁との連結を共用できるので、確実に部品点数を低減し、効率化を図ることができる。架設杆を樹脂で構成すれば、コンクリート内の結露が防止され、耐久性が向上させられる。
【００１３】
また、必要に応じ、上記架設杆の両端部に下向きに延びる突部を設け、上記一方嵌合体及び他方嵌合体の互いに対面する部位に上記架設杆の突部が着脱可能に差し込まれる孔を有した突片を設けた構成としている。これにより、架設杆の取付けは、突片の孔に架設杆の突部を差し込んで行う。この場合、架設杆が着脱自在になるので、外側型枠壁及び内側型枠壁の間が建物によって異なっても、架設杆の長さを変えるだけで対応できるようになり、極めて便利になる。
【００１４】
さらに、必要に応じ、上記タイル部材は、互いに上下に隣接する一側縁部と他側縁部とを有し、上記一側縁部を、長手方向に沿い一般外面より凹み形成され基端側表面を外部に露出する目地表面として構成される凹部を備えて構成し、上記他側縁部を、長手方向に沿い裏面が上記凹部の先端側表面に延在して上記目地表面を露出させる凸部を備えて構成している。タイル部材が取り付けられた状態では、タイル部材の凸部がこれに隣接するタイル部材の凹部を押えるので、それだけ、タイル部材の取付けが強固になる。また、目地を表出することができるので、外観品質を向上させることができる。
【００１５】
また、本発明の建物の壁構築方法は、上記何れかに記載の建物の壁構造に係る壁を構築する建物の壁構築方法において、基礎上に互いに所定間隔に対峙させた外側型枠壁及び内側型枠壁を立設し、該各型枠壁の形成過程で上記連結具を取り付けるとともに上記止着具を取り付け、次に、上記各型枠壁間に流動コンクリートを流し込んで固化し、その後、上記止着具に上記タイル部材を止着して上記外側型枠壁に複数のタイル部材を横方向及び縦方向に連設して付設する構成としている。これにより、各型枠壁の形成過程で連結具を取り付け、止着具を取り付けることができるので、それだけ構築作業性を向上させることができる等、上記と同様の作用，効果を奏する。
【発明の効果】
【００１６】
本発明によれば、タイル部材を、止着具に止着するだけで取付けができるので、位置決めが容易であり、従来のようにモルタルで付着するのに比較して、構築作業性を向上させることができる。また、タイル部材は、止着具に止着されるので、従来のようにモルタルで付設されるのに比較して、取付けが強固になり、耐久性も向上させることができる。即ち、本発明によれば、永久型枠としての断熱材と止着具とを一時に構築し、これに外装部材であるタイル部材を一体化して構築するので、施工効率がよく断熱性や耐久性に優れた壁を提供することができる。
【図面の簡単な説明】
【００１７】
【図１】本発明の第一の実施の形態に係る建物の壁構造を示す斜視図である。
【図２】本発明の第一の実施の形態に係る建物の壁構造を示す縦断面図である。
【図３】本発明の第一の実施の形態に係る建物の壁構造において、連結具及び保持部材の構成を示す分解斜視図である。
【図４】本発明の実施の形態に係る建物の壁構造の一部を示す斜視図である。
【図５】本発明の第二の実施の形態に係る建物の壁構造を示す斜視図である。
【図６】本発明の第二の実施の形態に係る建物の壁構造を示す縦断面図である。
【図７】従来の建物の壁構造の一例を示す平断面図である。
【発明を実施するための形態】
【００１８】
以下、添付図面に基づいて、本発明の実施の形態に係る建物の壁構造，建物の壁構築方法について詳細に説明する。
図１乃至図４には、本発明の第一の実施の形態に係る建物の壁構造を示している。この第一の実施の形態に係る建物の壁Ｗの構造は、基礎上に互いに所定間隔に対峙させた外側型枠壁ＫＡ及び内側型枠壁ＫＢを立設する。
外側型枠壁ＫＡにおいては、断熱材で形成された複数の型枠ブロックＢを用いる。断熱材としては、例えば、発泡スチロール等の発泡合成樹脂が用いられる。型枠ブロックＢは、矩形板状に形成され、例えば、厚さＴがＴ＝５０ｍｍ、高さＨがＨ＝６００ｍｍ、長さＬがＬ＝１８００ｍｍに設定される。大きさはこれに限定されるものではない。外側型枠壁ＫＡは永久型枠として構成される。
一方、内側型枠壁ＫＢは、例えば、木製で矩形状の周知の型枠パネルＰａを用いる。コンクリートの固化後は、取外しされる。
【００１９】
そして、外側型枠壁ＫＡにおいては、型枠ブロックＢを横方向及び縦方向に連設し、内側型枠壁ＫＢにおいては、型枠パネルＰａを横方向及び縦方向に連設し、基礎上に互いに所定間隔に対峙させた外側型枠壁ＫＡ及び内側型枠壁ＫＢを立設する。実施の形態では、外側型枠壁ＫＡ及び内側型枠壁ＫＢは、住宅の布基礎Ｎに立設される。外側型枠壁ＫＡ及び内側型枠壁ＫＢの間隔Ｄは、例えば、Ｄ＝１００〜３００ｍｍ程度に設定される。例えば、Ｄ＝１２０ｍｍ、１５０ｍｍ、１８０ｍｍ、２００ｍｍにする。実施の形態では、Ｄ＝１５０ｍｍに設定されている。布基礎Ｎには、外側型枠壁ＫＡ及び内側型枠壁ＫＢ間に臨む鉄筋Ｎａが立設される。各型枠壁ＫＡ，ＫＢ間には、流動コンクリートＣが流し込まれて外側型枠壁ＫＡとコンクリートＣとが一体化される。外側型枠壁ＫＡは、所謂永久型枠となる。内側型枠壁ＫＢはコンリートＣの固化後、取外しされる。
【００２０】
また、互いに対峙した各型枠壁ＫＡ，ＫＢ同士は、連結具１で連結される。この連結具１は、後述の止着具３０の支持部材３１に対応し、各支持部材３１ごとに複数（実施の形態では３つ）設けられ、行列状に配置される。図２及び図３に示すように、連結具１は、外側型枠壁ＫＡの裏面に付設されるフランジ２ａを有するとともに壁の幅方向外面側及び内面側に夫々雌ネジ２ｂ,２ｃを有した第一インサート部材２と、外側型枠壁ＫＡ及び後述の止着具３０の支持部材３１を貫通するとともに一端に第一インサート部材２の壁の外面側の雌ネジ２ｂに螺合する雄ネジ３ａが形成され他端に雄ネジ３ｂが形成された第一ネジロッド３と、第一ネジロッド３の他端の雄ネジ３ｂに螺合して支持部材３１及び外側型枠壁ＫＡを第一インサート部材２のフランジ２ａに対して押さえる第一押えナット４と、内側型枠壁ＫＢの裏面に付設されるテーパ状のコア５ａを有するとともに壁の幅方向内面側に内側型枠壁ＫＢを貫通する雄ネジ５ｂを有し壁の幅方向外面側に雌ネジ５ｃを有した第二インサート部材５と、第二インサート部材５の壁の内面側の雄ネジ５ｂに螺合して内側型枠壁ＫＢを第二インサート部材５のコア５ａに対して押さえる第二押えナット６と、一端に第二インサート部材５の壁の外面側の雌ネジ５ｃに螺合する雄ネジ７ａが形成され他端に第一インサート部材２の壁の内面側の雌ネジ２ｃに螺合する雄ネジ７ｂが形成され螺合により第二インサート部材５及び第一インサート部材２を連結する第二ネジロッド７とを備えて構成されている。第一ネジロッド３の長さは外側型枠壁ＫＡの幅に合わせて適宜に設定され、第二ネジロッド７の長さは外側型枠壁ＫＡ及び内側型枠壁ＫＢの間隔Ｄ（Ｄ＝１００〜３００ｍｍ）に合わせて、適宜に設定される。
【００２１】
更に、外側型枠壁ＫＡには、複数のタイル部材２０が横方向及び縦方向に連設して付設される。タイル部材２０は、セラミック等で形成され略矩形状に形成されている。材質は適宜に定めてよい。大きさは例えば、厚さ１４ｍｍ、高さ７２ｍｍ、長さ２４０ｍｍに設定されている。大きさはこれに限定されない。このタイル部材２０は、互いに上下に隣接する一側縁部２１と他側縁部２２とを有し、一側縁部２１は、長手方向に沿い一般外面より凹み形成され基端側表面を外部に露出する目地表面２３として構成される凹部２４を備えて構成されている。他側縁部２２は、長手方向に沿い裏面が凹部２４の先端側表面に延在して目地表面２３を露出させる凸部２５を備えて構成されている。タイル部材２０の裏面側には、後述の掛止部材３３の掛止板３４に掛止される掛止凹部２６が形成されている。掛止凹部２６は、掛止板の巾Ｘよりも幅広の開口幅Ｙを有し長手方向に沿う溝で形成されている。掛止凹部２６の上部は上壁が傾斜形成されて、あり溝状に形成され、掛止板３４の上縁に掛止して抜け止めされるように形成されている。
【００２２】
更にまた、外側型枠壁ＫＡには、タイル部材２０を止着する止着具３０が設けられている。止着具３０は外側型枠壁ＫＡを構成する型枠ブロックＢごとに設けられる。
詳しくは、止着具３０は、型枠ブロックＢの横方向に沿って間隔を隔てて列設される複数（実施の形態では４つ）の支持部材３１を備えている。支持部材３１は、金属製のＣチャンネル部材で形成され、外側型枠壁ＫＡに当接し、図３に示すように、連結具１の第一押えナット４で押えられる底板３１ａを備えている。底板３１ａには第一ネジロッド３の雄ネジ３ｂが貫通して突出する貫通孔３１ｂが設けられている。
【００２３】
また、止着具３０は、各支持部材３１の開口側に固着されるとともに型枠ブロックＢの横方向に沿う細長状に形成されタイル部材２０を複数列設して掛止する掛止部材３３を備えている。掛止部材３３は、型枠ブロックＢの縦方向に沿って所定間隔で複数（実施の形態では９つ）列設されている。
掛止部材３３は、支持部材３１に対して所定の間隙ｅを隔てて配置され、タイル部材２０が掛止される細長状の掛止板３４を備えている。この掛止板３４には、タイル部材２０の裏面側に設けた掛止凹部２６が掛止される。特に、掛止凹部２６の上部は上壁が傾斜形成されてあり溝状に形成されているので、この上部が掛止板３４の上縁に掛止して抜け止めされる。
【００２４】
更に、止着具３０の支持部材３１は、支持部材３１から外側型枠壁ＫＡを貫通してコンクリートＣに埋設される保持部材３５で保持されている。保持部材３５は、連結部１の全部若しくは一部（実施の形態では一部）で構成されている。詳しくは、保持部材３５は、コンクリートＣの固化後に、連結部１の第二押えナット６，内側型枠壁ＫＢ及び第二インサート部材５を取り外した後に残る、第一インサート部材２，第一ネジロッド３，第一押えナット４及び第二ネジロッド７で構成されている。
【００２５】
また、図４に示すように、コンクリートＣ内には、熱交換流体が流される配管４０が埋設されており、この配管に熱交換流体を流すことにより、壁Ｗを加温もしくは冷却して室内の冷暖房を行うことができるようにしている。配管４０は、例えば、直径１６ｍｍの常温で可撓性を有する熱可塑性樹脂からなり、ポリオレフィン、ポリアミド、ポリエステル、ポリ塩化ビニル、熱可塑性樹脂エラストマー等の材質からなる。また、配管４０は、布基礎の基端からの高さｍａと高さｍｂとの間で、壁Ｗの周囲に亘り蛇行して配設されている。実施の形態では、例えば、ｍａ＝５００ｍｍ，ｍｂ＝１５００ｍｍに設定されている。そして、壁Ｗを構築する際に、配管４０を各型枠壁ＫＡ，ＫＢ間に配設し、流動コンクリートＣの打設により、コンクリートＣ内に埋設される。配管４０には、例えば不凍液を混合した水等の熱交換流体が流され、この熱交換流体を循環ポンプで循環し、途中に設けた熱交換器による加温用水及び冷却用水の熱で熱交換流体を加温冷却する。
【００２６】
次に、本発明の実施の形態に係る壁Ｗの構築方法について説明する。図１及び図２に示すように、予め構築した布基礎Ｎ上に、外側型枠壁ＫＡにおいては、複数の型枠ブロックＢを横方向及び縦方向に連設して、一方、内側型枠壁ＫＢにおいては、型枠パネルＰａを横方向及び縦方向に連設して、互いに所定間隔に対峙させた外側型枠壁ＫＡ及び内側型枠壁ＫＢを立設する。この場合、連設される型枠ブロックＢ同士、あるいは、型枠パネルＰａ同士は、コ字状の接続金具（かすがい）等を用いて、適宜接続することが望ましい。
【００２７】
そして、各型枠壁ＫＡ，ＫＢの形成過程で、例えば、連結具１の第一インサート部材２，第一ネジロッド３，第二インサート部材５，第二ネジロッド７により、第二インサート部材５及び第一インサート部材２を仮に連結し、第二押えナット６により内側型枠壁ＫＢを第二インサート部材５のコア５ａに対して押さえ固定しておく。
【００２８】
それから、各型枠壁ＫＡ，ＫＢの形成過程で、外側型枠壁ＫＡの型枠ブロックＢを横方向に１列配置するごとに、止着具３０を取り付ける。この場合、止着具３０の支持部材３１の底板３１ａを第一ネジロッド３に貫通し、第一押えナット４を第一ネジロッド３の他端の雄ネジ３ｂに螺合して支持部材３１及び外側型枠壁ＫＡを第一インサート部材２のフランジ２ａに対して押さえ固定する。そのため、外側型枠壁ＫＡの形成過程で、容易に止着具３０を設けることができるので、それだけ構築作業性を向上させることができる。第二ネジロッド７は鉄筋Ｎａに結束することができる。また、配管４０も配設しておく。
【００２９】
外側型枠壁ＫＡ及び内側型枠壁ＫＢの連結が終わり、止着具３０の取付けも終わったならば、コンクリートＣを外側型枠壁ＫＡ及び内側型枠壁ＫＢ間に流し込み、養生する。
その後、タイル部材２０を付設する。この際には、タイル部材２０を止着具３０に対し順次止着し、横方向及び縦方向に連設する。タイル部材２０は止着具３０に対して接着剤を介して設けることが望ましい。具体的には、タイル部材２０の掛止凹部２６を掛止部材３３の掛止板３４に掛止する。そして、例えば、タイル部材２０を、下位の１つの掛止部材３３に対して横方向に掛止して列設し、それから、その１つ上位の掛止部材３３に対して横方向に掛止して列設し、このようにして、順次、下位から上位の掛止部材３３に向けてタイル部材２０を掛止していく。そのため、タイル部材２０の掛止凹部２６を掛止部材３３の掛止板３４に掛止するだけでタイル部材２０を取り付けることができるので、従来のようにモルタルで付着するのに比較して、構築作業をきわめて容易に行うことができるとともに、タイル部材２０の位置決めも容易に行うことができ、構築作業性を大幅に向上させることができる。また、コンクリートが固化したならば、連結部１の第二押えナット６，内側型枠壁ＫＢ及び第二インサート部材５を取り外す。
【００３０】
このようにして、構築された壁Ｗによれば、タイル部材２０は、止着具３０に止着され、即ち、タイル部材２０の掛止凹部２６が止着具３０の掛止板３４に掛止するので、従来のようにモルタルで付設されるのに比較して、タイル部材２０の取付けが強固になり、耐久性も向上させることができる。また、止着具３０の支持部材３１は保持部材３５を介してコンクリートＣに固着するので、単に、型枠ブロックＢに支持される場合に比較して、止着具３０の保持を強固にすることができ、外側型枠壁ＫＡの保持も確実になる。
【００３１】
また、タイル部材２０が取り付けられた状態では、タイル部材２０の凸部２５がこれに隣接するタイル部材２０の凹部２４を押えるので、それだけ、タイル部材２０の取付けが強固になる。また、目地表面２３を表出することができるので、外観品質を向上させることができる。
即ち、本実施の形態に係る壁構造においては、所謂永久型枠としての外側型枠壁ＫＡの断熱材（型枠ブロックＢ）と止着具３０とを一時に構築し、これに外装部材であるタイル部材２０を一体化して構築するので、施工効率がよく断熱性や耐久性に優れた壁を提供することができる。尚、内装用のパネル等の内装材は、内装工事において適宜構築すればよい。
【００３２】
次に、図５及び図６に示す本発明の第二の実施の形態に係る建物の壁Ｗの構造について説明する。この第二の実施の形態に係る建物の壁Ｗの構造は、断熱材で形成された複数の型枠ブロックＢを用いる。断熱材としては、例えば、発泡スチロール等の発泡合成樹脂が用いられる。型枠ブロックＢは、矩形板状に形成され、例えば、厚さＴがＴ＝５０ｍｍ、高さＨがＨ＝６００ｍｍ、長さＬがＬ＝１８００ｍｍに設定される。大きさはこれに限定されるものではない。
【００３３】
そして、この型枠ブロックＢを、横方向及び縦方向に連設し、基礎上に互いに所定間隔に対峙させた外側型枠壁ＫＡ及び内側型枠壁ＫＢを立設する。実施の形態では、外側型枠壁ＫＡ及び内側型枠壁ＫＢは、住宅の布基礎Ｎに立設される。外側型枠壁ＫＡ及び内側型枠壁ＫＢの間隔Ｄは、例えば、Ｄ＝１００〜３００ｍｍ程度に設定される。例えば、Ｄ＝１２０ｍｍ、１５０ｍｍ、１８０ｍｍ、２００ｍｍにする。実施の形態では、Ｄ＝１５０ｍｍに設定されている。布基礎Ｎには、外側型枠壁ＫＡ及び内側型枠壁ＫＢ間に臨む鉄筋Ｎａが立設される。各型枠壁ＫＡ，ＫＢ間には、流動コンクリートＣが流し込まれて各型枠壁ＫＡ，ＫＢとコンクリートＣとが一体化される。各型枠壁ＫＡ，ＫＢは、所謂永久型枠となる。
【００３４】
また、互いに対峙した各型枠壁ＫＡ，ＫＢ同士は、連結具１０で連結される。この連結具１０は、横方向及び縦方向の少なくともいずれかの方向に連設される型枠ブロックＢ同士を連結する機能を備えて構成されている。詳しくは、連結具１０は、外側型枠壁ＫＡ及び内側型枠壁ＫＢのいずれか一方側に位置させられる一方嵌合体１０ａと、外側型枠壁ＫＡ及び内側型枠壁ＫＢのいずれか他方側に位置させられる他方嵌合体１０ｂと、一方嵌合体１０ａと他方嵌合体１０ｂとの間に架設される架設杆１１とを備えて構成されている。一方嵌合体１０ａ及び他方嵌合体１０ｂは、縦方向に隣接する下側の型枠ブロックＢの上端に嵌合する断面コ字状の下嵌合部１２及び上側の型枠ブロックＢの下端部に嵌合する断面コ字状の上嵌合部１３を有する。
【００３５】
また、架設杆１１の両端部には、下向きに延びる突部１４が設けられている。そして、一方嵌合体１０ａ及び他方嵌合体１０ｂの互いに対面する部位には、架設杆１１の突部１４が着脱可能に差し込まれる孔１５を有した突片１６が設けられている。架設杆１１の長さは、上記の外側型枠壁ＫＡ及び内側型枠壁ＫＢの間隔Ｄ（Ｄ＝１００〜３００ｍｍ）に合わせて、適宜に設定される。
【００３６】
更に、外側型枠壁ＫＡには、複数のタイル部材２０を横方向及び縦方向に連設して付設される。タイル部材２０は、セラミック等で形成され略矩形状に形成されている。材質は適宜に定めてよい。大きさは例えば、厚さ１４ｍｍ、高さ７２ｍｍ、長さ２４０ｍｍに設定されている。大きさはこれに限定されない。このタイル部材２０は、互いに上下に隣接する一側縁部２１と他側縁部２２とを有し、一側縁部２１は、長手方向に沿い一般外面より凹み形成され基端側表面を外部に露出する目地表面２３として構成される凹部２４を備えて構成されている。他側縁部２２は、長手方向に沿い裏面が凹部２４の先端側表面に延在して目地表面２３を露出させる凸部２５を備えて構成されている。タイル部材２０の裏面側には、後述の掛止部材３３の掛止板３４に掛止される掛止凹部２６が形成されている。掛止凹部２６は、掛止板の巾Ｘよりも幅広の開口幅Ｙを有し長手方向に沿う溝で形成されている。掛止凹部２６の上部は上壁が傾斜形成されて、あり溝状に形成され、掛止板３４の上縁に掛止して抜け止めされるように形成されている。
【００３７】
更にまた、外側型枠壁ＫＡには、タイル部材２０を止着する止着具３０が設けられている。止着具３０は外側型枠壁ＫＡを構成する型枠ブロックＢごとに設けられる。
詳しくは、止着具３０は、型枠ブロックＢの横方向に沿って間隔を隔てて列設される複数（実施の形態では４つ）の支持部材３１を備えている。支持部材３１は、金属製板で形成され、型枠ブロックＢの列の上端部に係止され、コンクリートＣに固着する部分を有した断面コ字状の係止部３２を備えている。
【００３８】
また、止着具３０は、各支持部材３１に固着されるとともに型枠ブロックＢの横方向に沿う細長状に形成されタイル部材２０を複数列設して掛止する掛止部材３３を備えている。掛止部材３３は、型枠ブロックＢの縦方向に沿って所定間隔で複数（実施の形態では９つ）列設されている。
掛止部材３３は、支持部材３１に対して所定の間隙ｅを隔てて配置され、タイル部材２０が掛止される細長状の掛止板３４を備えている。この掛止板３４には、タイル部材２０の裏面側に設けた掛止凹部２６が掛止される。特に、掛止凹部２６の上部は上壁が傾斜形成されてあり溝状に形成されているので、この上部が掛止板３４の上縁に掛止して抜け止めされる。
【００３９】
更に、支持部材３１から外側型枠壁ＫＡを貫通して内側型枠壁ＫＢへ延び、コンクリートＣに埋設される棒状の保持部材３５を備えている。支持部材３１には縦方向に貫通孔３６が複数（実施の形態では２つ）設けられており、保持部材３５は止着具３０の取付け後に、この貫通孔３６に挿通される。保持部材３５は端部に大径で貫通孔３６の周囲に当接する頭部３７を有している。
また、第二の実施の形態に係る壁構造においても、図４に示すように、コンクリートＣ内には、熱交換流体が流される配管４０が埋設されており、この配管４０に熱交換流体を流すことにより、壁Ｗを加温もしくは冷却して室内の冷暖房を行うことができるようにしている。
【００４０】
次に、本発明の第二の実施の形態に係る壁Ｗの構築方法について説明する。図５及び図６に示すように、予め構築した布基礎Ｎ上に、複数の型枠ブロックＢを横方向及び縦方向に連設し、互いに所定間隔に対峙させた外側型枠壁ＫＡ及び内側型枠壁ＫＢを立設する。
この場合、各型枠壁ＫＡ，ＫＢの形成過程で、外側型枠壁ＫＡ及び内側型枠壁ＫＢの型枠ブロックＢを横方向に１列配置するごとに、連結具１０を取り付ける。連結具１０は、互いに対峙する型枠ブロックＢ当たり、上側に４組設ける。そのうちの２組は、一方嵌合体１０ａ及び他方嵌合体１０ｂを横方向に連設された型枠ブロックＢの接合部に跨いで設ける。他の２組は、接合部間に等間隔で設け、一方嵌合体１０ａ及び他方嵌合体１０ｂにより、縦方向の型枠ブロックＢを連結する。そして、架設杆１１の突部１４を、一方嵌合体１０ａ及び他方嵌合体１０ｂの突片１６の孔１５に差し込んで、架設杆１１を架設する。この場合、架設杆１１が着脱自在になるので、外側型枠壁ＫＡ及び内側型枠壁ＫＢの間が建物によって異なっても、架設杆１１の長さを変えるだけで対応できるようになり、極めて便利になる。
【００４１】
この連結具１０の一方嵌合体１０ａ及び他方嵌合体１０ｂにより、縦方向の型枠ブロックＢを連結できるとともに、一方嵌合体１０ａ及び他方嵌合体１０ｂを横方向に連設された型枠ブロックＢの接合部に跨いで設けた場合には、横方向に隣接する型枠ブロックＢ同士も連結することができる。また、架設杆１１の取付けにより互いに対峙した外側型枠壁ＫＡ及び内側型枠壁ＫＢを連結することができる。即ち、この連結具１０は、型枠ブロックＢの横方向及び縦方向両方の連結と、外側型枠壁ＫＡ及び内側型枠壁ＫＢとの連結を共用できるので、別途専用の固定具や連結手段を設けなくても良く、確実に部品点数を低減し、効率化を図ることができる。
【００４２】
また、各型枠壁ＫＡ，ＫＢの形成過程で、外側型枠壁ＫＡの型枠ブロックＢを横方向に１列配置するごとに、止着具３０を取り付ける。この場合、止着具３０の支持部材３１の係止部３２をこの型枠ブロックＢの上端部に係止する。そのため、外側型枠壁ＫＡの形成過程で、容易に止着具３０を設けることができるので、それだけ構築作業性を向上させることができる。
更に、支持部材３１の貫通孔３６から保持部材３５を差し込む。これにより、保持部材３５は外側型枠壁ＫＡを貫通して内側型枠壁ＫＢへ延びる。保持部材３５は鉄筋Ｎａに結束する。
このように、各型枠壁ＫＡ，ＫＢの形成過程で連結具１０を取り付け、止着具３０を取り付けることができるので、それだけ構築作業性を向上させることができる等、上記と同様の作用，効果を奏する。
【００４３】
外側型枠壁ＫＡ及び内側型枠壁ＫＢの連結が終わり、止着具３０の取付けも終わったならば、コンクリートＣを外側型枠壁ＫＡ及び内側型枠壁ＫＢ間に流し込み、養生する。
その後、タイル部材２０を付設する。この際には、タイル部材２０を止着具３０に対し順次止着し、横方向及び縦方向に連設する。タイル部材２０は止着具３０に対して接着剤を介して設けることが望ましい。具体的には、タイル部材２０の掛止凹部２６を掛止部材３３の掛止板３４に掛止する。そして、例えば、タイル部材２０を、下位の１つの掛止部材３３に対して横方向に掛止して列設し、それから、その１つ上位の掛止部材３３に対して横方向に掛止して列設し、このようにして、順次、下位から上位の掛止部材３３に向けてタイル部材２０を掛止していく。そのため、タイル部材２０の掛止凹部２６を掛止部材３３の掛止板３４に掛止するだけでタイル部材２０を取り付けることができるので、従来のようにモルタルで付着するのに比較して、構築作業をきわめて容易に行うことができるとともに、タイル部材２０の位置決めも容易に行うことができ、構築作業性を大幅に向上させることができる。
【００４４】
このようにして、構築された壁Ｗによれば、タイル部材２０は、止着具３０に止着され、即ち、タイル部材２０の掛止凹部２６が止着具３０の掛止板３４に掛止するので、従来のようにモルタルで付設されるのに比較して、タイル部材２０の取付けが強固になり、耐久性も向上させることができる。また、止着具３０の支持部材３１の係止部３２は断面コ字状に形成され一部がコンクリートＣに固着するので、単に、型枠ブロックＢに支持される場合に比較して、止着具３０の保持を強固にすることができる。更に、保持部材３５を介して支持部材３１がコンクリートＣに保持されることになることから、単に、型枠ブロックＢに支持される場合に比較して、止着具３０の保持を強固にすることができる。また、外側型枠壁ＫＡの保持も確実になる。
【００４５】
また、タイル部材２０が取り付けられた状態では、タイル部材２０の凸部２５がこれに隣接するタイル部材２０の凹部２４を押えるので、それだけ、タイル部材２０の取付けが強固になる。また、目地表面２３を表出することができるので、外観品質を向上させることができる。
即ち、本実施の形態に係る壁構造においては、所謂永久型枠としての断熱材（型枠ブロックＢ）と止着具３０とを一時に構築し、これに外装部材であるタイル部材２０を一体化して構築するので、施工効率がよく断熱性や耐久性に優れた壁を提供することができる。尚、内装用のパネル等の内装材は、内装工事において適宜構築すればよい。
【００４６】
尚、上記の実施の形態において、連結具１０の構成は上述したものに限定されるものではなく、従来のように互いに対峙させた外側型枠壁ＫＡ及び内側型枠壁ＫＢを連結するのみの機能を有したものにし、型枠ブロックＢ同士の保持は、専用の固定具を用い、あるいは、型枠ブロックＢの端縁と隣接する型枠ブロックＢの端縁に夫々互いに係合する凹凸を設ける等の手段を用いても良く、適宜変更して差し支えない。また、各部材の大きさ等は上述したものに限定されないことは勿論である。
【符号の説明】
【００４７】
Ｗ  壁
Ｂ  型枠ブロック
ＫＡ  外側型枠壁
ＫＢ  内側型枠壁
Ｃ  コンクリート
Ｎ  布基礎
Ｎａ  鉄筋
１  連結具
２  第一インサート部材
３  第一ネジロッド
４  第一押えナット
５  第二インサート部材
６  第二押えナット
７  第二ネジロッド
１０  連結具
１０ａ  一方嵌合体
１０ｂ  他方嵌合体
１１  架設杆
１２  下嵌合部
１３  上嵌合部
２０  タイル部材
２１  一側縁部
２２  他側縁部
２３  目地表面
２４  凹部
２５  凸部
２６  掛止凹部
３０  止着具
３１  支持部材
３２  係止部
３３  掛止部材
３４  掛止板
３５  保持部材
４０  配管
【図１】
2013177740.tif 000003
【図２】
2013177740.tif 000004
【図３】
2013177740.tif 000005
【図４】
2013177740.tif 000006
【図５】
2013177740.tif 000007
【図６】
2013177740.tif 000008
【図７】
2013177740.tif 000009